(57)【要約】【課題】  マルチプロファイル対応の携帯電話機と無線接続するときは、そのマルチプロファイルの機能を有効に利用し、かつマルチプロファイル非対応の携帯電話機と無線接続するときにも不都合が発生しないような車載ハンズフリー装置の技術を提供する。【解決手段】  車載ハンズフリー装置が携帯電話機とハンズフリープロファイル（ＨＦＰ）での無線接続を行っているとき、ダイヤルアップネットワークプロファイル（ＤＵＮ）での無線接続開始の要求がある（１０５）と、ＨＦＰでの無線接続を切断し（１１０）、その後ＤＵＮでの無線接続を確立し（１１５）、その後その無線接続を維持しつつＨＦＰでの無線接続の接続要求を送信する（１２５）。また接続要求に対する携帯電話機からの応答に基づいて、携帯電話機がマルチプロファイル対応であるか否かを判定し（１３０）、マルチプロファイル対応でれば、ＤＵＮとＨＦＰの機能を同時に実現する（１３５）。【選択図】 図３
2006148864.tif 000002
【特許請求の範囲】
【請求項１】
相手側ブルートゥース無線機との第１のプロファイルでの無線接続を維持したまま、前記第１のプロファイルと異なる第２のプロファイルでの無線接続の接続要求を前記相手側ブルートゥース無線機に送信する接続要求送信手段と、
前記接続要求送信手段が送信した接続要求に対する、前記相手側ブルートゥース無線機からの応答に基づいて、前記相手側ブルートゥース無線機がマルチプロファイル対応であるか否かを判定する判定手段と、
前記判定手段が、前記相手側ブルートゥース無線機がマルチプロファイル対応であると判定したことに基づいて、前記第１のプロファイルでの無線接続を維持したまま、前記第２のプロファイルの機能の実現のための処理を行うマルチプロファイル処理手段と、を備えたブルートゥース無線機。
【請求項２】
相手側ブルートゥース無線機と前記第２のプロファイルでの無線接続を行っているとき、ユーザの操作に基づく、前記第１のプロファイルでの無線接続開始の要求を受け付けることに基づいて、前記第２のプロファイルでの無線接続を切断する切断手段と、
前記切断手段が前記第２の無線接続を切断した後に、前記相手側ブルートゥース無線機と前記第１のプロファイルでの無線接続を確立する接続手段と、を備え、
前記接続要求送信手段は、前記接続手段が前記第１のプロファイルでの無線接続を確立した後、その無線接続を維持したまま、前記第２のプロファイルでの無線接続の接続要求を前記相手側ブルートゥース無線機に送信することを特徴とする請求項１に記載のブルートゥース無線機。
【請求項３】
前記判定手段が、前記相手側ブルートゥース無線機がマルチプロファイル対応でないと判定したことに基づいて、前記第１のプロファイルでの無線接続が終了した後に、前記第２のプロファイルでの無線接続を確立する復帰接続手段と、を備えた請求項２に記載のブルートゥース無線機。
【請求項４】
前記第１のプロファイルはダイヤルアップネットワークプロファイルであり、前記第２のプロファイルはハンズフリープロファイルであることを特徴とする請求項１ないし３のいずれか１つに記載のブルートゥース無線機。
【請求項５】
相手側ブルートゥース無線機との第１のプロファイルでの無線接続を維持したまま、前記第１のプロファイルと異なる第２のプロファイルでの無線接続の接続要求を前記相手側ブルートゥース無線機に送信する接続要求送信手段、
前記接続要求送信手段が送信した接続要求に対する、前記相手側ブルートゥース無線機からの応答に基づいて、前記相手側ブルートゥース無線機がマルチプロファイル対応であるか否かを判定する判定手段、および
前記判定手段が、前記相手側ブルートゥース無線機がマルチプロファイル対応であると判定したことに基づいて、前記第１のプロファイルでの無線接続を維持したまま、前記第２のプロファイルの機能の実現のための処理を行うマルチプロファイル処理手段として、コンピュータを機能させるプログラム。
【請求項６】
相手側ブルートゥース無線機とのハンズフリープロファイル以外の第１のプロファイルでの無線接続を維持したまま、ハンズフリープロファイルでの無線接続の接続要求を前記相手側ブルートゥース無線機に送信する接続要求送信手段と、
前記接続要求送信手段が前記接続要求を送信した後、前記ハンズフリープロファイルの着信通知を受けたとき、前記第１のプロファイルでの無線接続を維持したまま、前記着信通知に基づく処理を行う着信通知受信処理手段と、を備えたブルートゥース無線機。
【請求項７】
前記第１のプロファイルは、ダイヤルアップネットワークプロファイルであることを特徴とする請求項６に記載のブルートゥース無線機。
【請求項８】
前記接続要求送信手段は、相手側ブルートゥース無線機と前記第１のプロファイルでの無線接続を行っているとき、前記第２のプロファイルでの無線接続開始の要求を受け付けることに基づいて、前記第１のプロファイルでの無線接続を維持したまま、前記第１のプロファイルと異なる第２のプロファイルでの無線接続の接続要求を前記相手側ブルートゥース無線機に送信し、
前記判定手段が、前記相手側ブルートゥース無線機がマルチプロファイル対応でないと判定したことに基づいて、前記第１のプロファイルでの無線接続を切断する切断手段と、
前記切断手段が前記第１のプロファイルでの無線接続を切断したことに基づいて、前記第２のプロファイルの機能の実現のための処理を実行するシングルプロファイル処理手段と、を備えた請求項１に記載のブルートゥース無線機。
【請求項９】
相手側ブルートゥース無線機との、ハンズフリープロファイルとは異なる第１のプロファイルでの無線接続を維持したまま、ハンズフリープロファイルでの無線接続の接続要求を前記相手側ブルートゥース無線機に送信する接続要求送信手段、および
前記接続要求送信手段が前記接続要求を送信した後、前記ハンズフリープロファイルの着信通知を受けたとき、前記第１のプロファイルでの無線接続を維持したまま、前記着信通知に基づく処理を行う着信通知受信処理手段として、コンピュータを機能させるプログラム。
【請求項１０】
相手側近距離無線通信機との第１の機能での無線接続を維持したまま、前記第１の機能と異なる第２の機能での無線接続の接続要求を前記相手側近距離無線通信機に送信する接続要求送信手段と、
前記接続要求送信手段が送信した接続要求に対する、前記相手側近距離無線通信機からの応答に基づいて、前記相手側近距離無線通信機が複数機能対応であるか否かを判定する判定手段と、
前記判定手段が、前記相手側近距離無線通信機が複数機能対応であると判定したことに基づいて、前記第１の機能での無線接続を維持したまま、前記第２の機能の実現のための処理を行う複数機能処理手段と、を備えた近距離無線通信機。
【請求項１１】
相手側近距離無線通信機と前記第２の機能での無線接続を行っているとき、ユーザの操作に基づく、前記第１の機能での無線接続開始の要求を受け付けることに基づいて、前記第２の機能での無線接続を切断する切断手段と、
前記切断手段が前記第２の無線接続を切断した後に、前記相手側近距離無線通信機と前記第１の機能での無線接続を確立する接続手段と、を備え、
前記接続要求送信手段は、前記接続手段が前記第１の機能での無線接続を確立した後、その無線接続を維持したまま、前記第２の機能での無線接続の接続要求を前記相手側近距離無線通信機に送信することを特徴とする請求項１０に記載の近距離無線通信機。
【請求項１２】
前記判定手段が、前記相手側近距離無線通信機が複数機能対応でないと判定したことに基づいて、前記第１の機能での無線接続が終了した後に、前記第２の機能での無線接続を確立する復帰接続手段と、を備えた請求項１１に記載の近距離無線通信機。
【請求項１３】
前記第１の機能はダイヤルアップネットワーク機能であり、前記第２の機能はハンズフリー機能であることを特徴とする請求項１０ないし１２のいずれか１つに記載の近距離無線通信機。
【請求項１４】
相手側近距離無線通信機との第１の機能での無線接続を維持したまま、前記第１の機能と異なる第２の機能での無線接続の接続要求を前記相手側近距離無線通信機に送信する接続要求送信手段、
前記接続要求送信手段が送信した接続要求に対する、前記相手側近距離無線通信機からの応答に基づいて、前記相手側近距離無線通信機が複数機能対応であるか否かを判定する判定手段、および
前記判定手段が、前記相手側近距離無線通信機が複数機能対応であると判定したことに基づいて、前記第１の機能での無線接続を維持したまま、前記第２の機能の実現のための処理を行う複数機能処理手段として、コンピュータを機能させるプログラム。
【請求項１５】
相手側近距離無線通信機とのハンズフリー機能以外の第１の機能での無線接続を維持したまま、ハンズフリー機能での無線接続の接続要求を前記相手側近距離無線通信機に送信する接続要求送信手段と、
前記接続要求送信手段が前記接続要求を送信した後、前記ハンズフリー機能の着信通知を受けたとき、前記第１の機能での無線接続を維持したまま、前記着信通知に基づく処理を行う着信通知受信処理手段と、を備えた近距離無線通信機。
【請求項１６】
前記第１の機能は、ダイヤルアップネットワーク機能であることを特徴とする請求項１５に記載の近距離無線通信機。
【請求項１７】
前記接続要求送信手段は、相手側近距離無線通信機と前記第１の機能での無線接続を行っているとき、前記第２の機能での無線接続開始の要求を受け付けることに基づいて、前記第１の機能での無線接続を維持したまま、前記第１の機能と異なる第２の機能での無線接続の接続要求を前記相手側近距離無線通信機に送信し、
前記判定手段が、前記相手側近距離無線通信機が複数機能対応でないと判定したことに基づいて、前記第１の機能での無線接続を切断する切断手段と、
前記切断手段が前記第１の機能での無線接続を切断したことに基づいて、前記第２の機能の実現のための処理を実行するシングル機能処理手段と、を備えた請求項１０に記載の近距離無線通信機。
【請求項１８】
相手側近距離無線通信機との、ハンズフリー機能とは異なる第１の機能での無線接続を維持したまま、ハンズフリー機能での無線接続の接続要求を前記相手側近距離無線通信機に送信する接続要求送信手段、および
前記接続要求送信手段が前記接続要求を送信した後、前記ハンズフリー機能の着信通知を受けたとき、前記第１の機能での無線接続を維持したまま、前記着信通知に基づく処理を行う着信通知受信処理手段として、コンピュータを機能させるプログラム。
【発明の詳細な説明】
【技術分野】
【０００１】
本発明は、複数の機能での無線接続を同時に確立することのできる複数機能対応近距離無線通信機（例えば複数のプロファイルでの無線接続を同時に確立することのできるマルチプロファイル対応ブルートゥース無線機）に関し、特に車載用ブルートゥース無線機に用いて好適である。
【背景技術】
【０００２】
従来、ブルートゥースの規格に従った無線通信を行うブルートゥース無線機が広く利用されている。また、ブルートゥースの規格には、ブルートゥース無線機の作動形態毎に、その作動形態のために必要な機能を規定するプロファイルが盛り込まれている。プロファイルの具体例としては、例えばハンズフリー機能を実現するためのハンズフリープロファイル（ＨＦＰ）、電話回線を用いたダイヤルアップ接続によるデータ通信を実現するためのダイヤルアップネットワークプロファイル（ＤＵＮ）等がある。
【０００３】
図７に、車載ハンズフリー装置と携帯電話機とがブルートゥース接続し、これらハンズフリープロファイルの機能およびダイヤルアップネットワークプロファイルの機能を実現する際に行う通信の手順の一例を、シーケンス図として示す。
【０００４】
まず、車載ハンズフリー装置と携帯電話機とがハンズフリープロファイルでの無線接続を行っている状態において（状態５０５参照）、ユーザがデータ通信を開始する旨の操作を車載ハンズフリー装置に対して行うと（イベント５１０参照）、車載ハンズフリー装置は、ハンズフリープロファイルのための通信を切断するよう要求するＨＦＰ切断要求信号５１５を携帯電話機に送信し、携帯電話機がこの信号５１５に応じてＯＫの旨のＨＦＰ切断応答信号５２０を車載ハンズフリー装置に返送する。これによって、両者におけるハンズフリープロファイルの処理が終了する。
【０００５】
さらに車載ハンズフリー装置は、ダイヤルアップネットワークプロファイルでの無線接続を確立するために、ＤＵＮ接続要求信号５２５を携帯電話機に対して送信し、携帯電話機がこの信号５２５に応じてＯＫの旨のＤＵＮ接続応答信号５３０を車載ハンズフリー装置に返送する。これによって、ダイヤルアップネットワークプロファイルでの無線通信が確立され、車載ハンズフリー装置が、携帯電話機の電話通信機能を利用してインターネット等の広域ネットワークと接続し、Ｗｅｂブラウジング等、その広域ネットワークを介したデータ通信を行うようになる（状態５３５参照）。
【０００６】
その後、ユーザの操作等に起因してデータ通信が終了すると（イベント５４０参照）、車載ハンズフリー装置は、ダイヤルアップネットワークプロファイルのための通信を切断するよう要求するＤＵＮ切断要求信号５４５を携帯電話機に送信し、携帯電話機がこの信号５４５に応じてＯＫの旨のＤＵＮ切断応答信号５５０を車載ハンズフリー装置に返送する。これによって、両者におけるダイヤルアップネットワークプロファイルの処理が終了する。
【０００７】
さらに車載ハンズフリー装置は、ハンズフリープロファイルでの無線接続を確立するために、ＨＦＰ接続要求信号５５５を携帯電話機に対して送信し、携帯電話機がこの信号５５５に応じてＯＫの旨のＨＦＰ接続応答信号５６０を車載ハンズフリー装置に返送する。これによって、ハンズフリープロファイルでの無線通信が確立され、車載ハンズフリー装置が、携帯電話機の電話通信機能を利用して、電話の着信受付、電話発信等を行うことができるようになる（状態５６５参照）。
【０００８】
以上の例では、携帯電話機は、ハンズフリープロファイルとダイヤルアップネットワークプロファイルの機能を併せ持っているが、それらの機能を同時には実現せず、一方の機能を実現するときには他方の機能を停止させている。
【０００９】
しかし、近年、これら複数のプロファイルの機能を同時に実現することができるような、マルチプロファイル対応のブルートゥース無線機が販売されている。このようなものを用いて、例えば、ハンズフリープロファイルの機能とダイヤルアップネットワークプロファイルの機能とを同時に実現するブルートゥース無線機としての携帯電話およびハンズフリー装置を互いに無線接続させることを考える。このような場合、ダイヤルアップネットワークプロファイルの機能で、このハンズフリー装置のダイヤルアップ接続をこの携帯電話が媒介し、それと同時に、ハンズフリープロファイルの機能で、電話着信があった場合はこの携帯電話がその着信通知をこのハンズフリー装置に送信することができる。
【発明の開示】
【発明が解決しようとする課題】
【００１０】
しかし、マルチプロファイル対応のブルートゥース無線機が無線接続する相手のブルートゥース無線機が、必ずマルチプロファイル対応であるとは限らない。マルチプロファイル対応のブルートゥース無線機が、接続相手も必ずマルチプロファイル対応であることを前提とするような作動を行えば、マルチプロファイル非対応のブルートゥース無線機と接続するときに不都合が発生する可能性がある。
【００１１】
したがって、マルチプロファイル対応のブルートゥース無線機と無線接続するときは、そのマルチプロファイルの機能を有効に利用し、かつ、マルチプロファイル非対応のブルートゥース無線機と無線接続するときにも不都合が発生しないような機能を、マルチプロファイル対応のブルートゥース無線機が有することが望ましい。
【００１２】
本発明は上記点に鑑み、マルチプロファイル対応のブルートゥース無線機と無線接続するときは、そのマルチプロファイルの機能を有効に利用し、かつ、マルチプロファイル非対応のブルートゥース無線機と無線接続するときにも不都合が発生しないようなブルートゥース無線機の技術を提供することを第１の目的とする。
【００１３】
また、以上のような要請は、単にブルートゥースとプロファイルとの関係のみならず、近距離無線通信機と、その通信機が相手との通信によって実現する機能との関係においても発生しうる。
【００１４】
そこで、本発明は、複数機能対応の近距離無線通信機と無線接続するときは、その複数の機能を有効に利用し、かつ、複数機能非対応の近距離無線通信機無線機と無線接続するときにも不都合が発生しないような近距離無線通信機の技術を提供することを目的とする。
【課題を解決するための手段】
【００１５】
上記目的を達成するための本発明の第１の特徴は、ブルートゥース無線機が、相手側ブルートゥース無線機との第１のプロファイルでの無線接続を維持したまま、その第１のプロファイルと異なる第２のプロファイルでの無線接続の接続要求をその相手側ブルートゥース無線機に送信し、その送信した接続要求に対する、相手側ブルートゥース無線機からの応答に基づいて、相手側ブルートゥース無線機がマルチプロファイル対応であるか否かを判定し、マルチプロファイル対応であると判定したことに基づいて、第１のプロファイルでの無線接続を維持したまま、第２のプロファイルの機能の実現のための処理を行うことである。
【００１６】
このように、ブルートゥース無線機が、相手側ブルートゥース無線機との第１のプロファイルでの無線接続を維持したままで第２のプロファイルでの無線接続の接続要求を送信すれば、ブルートゥースの規格に従えば、相手側ブルートゥース無線機がマルチプロファイル対応であれば、その第２のプロファイルでの無線接続が可能である旨の応答があり、相手側ブルートゥース無線機がマルチプロファイル対応でなければ、その第２のプロファイルでの無線接続が不可能である旨の応答がある。
【００１７】
本発明のブルートゥース無線機は、この応答に基づいて、相手側ブルートゥース無線機がマルチプロファイル対応であるか否かを判定し、マルチプロファイル対応であると判定したことに基づいて、第１のプロファイルでの無線接続を維持したまま、第２のプロファイルの機能の実現のための処理を行う。このように、本発明のブルートゥース無線機は、相手がマルチプロファイル対応であるときに、そのマルチプロファイルの機能を利用した無線接続を行うので、マルチプロファイル対応のブルートゥース無線機と無線接続するときは、そのマルチプロファイルの機能を有効に利用し、かつ、マルチプロファイル非対応のブルートゥース無線機と無線接続するときにも不都合が発生しない。
【００１８】
また、このブルートゥース無線機は、相手側ブルートゥース無線機と第２のプロファイルでの無線接続を行っているとき、ユーザの操作に基づく、第１のプロファイルでの無線接続開始の要求を受け付けることに基づいて、第２のプロファイルでの無線接続を切断し、その後、相手側ブルートゥース無線機と第１のプロファイルでの無線接続を確立し、その後に、上述のような、第１のプロファイルでの無線接続を維持したままでの第２のプロファイルでの無線接続の接続要求の送信を行うようになっていてもよい。
【００１９】
このようになっていることで、ブルートゥース無線機は、ユーザの操作に基づいて開始が要求されたプロファイルの機能を、他のプロファイルでの無線接続を切断してから開始するので、相手側ブルートゥース無線機がマルチプロファイル対応であると否とに関わらず、直ちにその要求されたプロファイルでの無線接続が優先的に実現する。そして、相手側ブルートゥース無線機がマルチプロファイルに対応していれば、その後、その切断された接続と、要求されたプロファイルでの接続が両立することになる。
【００２０】
また、このブルートゥース無線機は、相手側ブルートゥース無線機がマルチプロファイル対応でないと判定したことに基づいて、第１のプロファイルでの無線接続が終了した後に、第２のプロファイルでの無線接続を確立するようになっていてもよい。このようになっていることで、切断された第２のプロファイルでの無線接続が自動的に回復することになる。
【００２１】
また、プロファイルの例としては、例えば、第１のプロファイルはダイヤルアップネットワークプロファイルであり、第２のプロファイルはハンズフリープロファイルであることが考えられる。
【００２２】
また、上記のような本発明の第１の特徴は、相手側ブルートゥース無線機との第１のプロファイルでの無線接続を維持したまま、第１のプロファイルと異なる第２のプロファイルでの無線接続の接続要求を前記相手側ブルートゥース無線機に送信する機能、送信した接続要求に対する、相手側ブルートゥース無線機からの応答に基づいて、相手側ブルートゥース無線機がマルチプロファイル対応であるか否かを判定する機能、および、相手側ブルートゥース無線機がマルチプロファイル対応であると判定したことに基づいて、第１のプロファイルでの無線接続を維持したまま、第２のプロファイルでの無線接続を確立する機能を、コンピュータに実現させるプログラムとしても、捉えることが可能である。
【００２３】
また、本発明の第２の特徴は、ブルートゥース無線機が、相手側ブルートゥース無線機とのハンズフリープロファイルと異なる第１のプロファイルでの無線接続を維持したまま、ハンズフリープロファイルでの無線接続の接続要求を相手側ブルートゥース無線機に送信し、その送信の後、ハンズフリープロファイルの着信通知を受けたとき、第１のプロファイルでの無線接続を維持したまま、当該着信通知に基づく処理を行うようになっていることである。
【００２４】
このように、ブルートゥース無線機が、相手側ブルートゥース無線機との第１のプロファイルでの無線接続を維持したまま、ハンズフリープロファイルでの無線接続の接続要求を相手側ブルートゥース無線機に送信すれば、相手側ブルートゥース無線機がマルチプロファイル対応であれば、相手側ブルートゥース無線機は、第１のプロファイルとハンズフリープロファイルの両方の機能を同時に実現させ、第１のプロファイルでの接続中においても、電話着信があると、着信通知をブルートゥース無線機に送信する。
【００２５】
本発明のブルートゥース無線機は、上記接続要求を送信した後、ハンズフリープロファイルの着信通知を受けたとき、第１のプロファイルでの無線接続を維持したまま、着信通知に基づく処理を行う。このように、本発明のブルートゥース無線機は、相手がマルチプロファイル対応であるときに、そのマルチプロファイルの機能を利用した無線接続を行うので、マルチプロファイル対応のブルートゥース無線機と無線接続するときは、そのマルチプロファイルの機能を有効に利用し、かつ、マルチプロファイル非対応のブルートゥース無線機と無線接続するときにも不都合が発生しない。
【００２６】
また、上記第一のプロファイルは、ダイヤルアップネットワークプロファイルであってもよい。
【００２７】
また、ブルートゥース無線機は、相手側ブルートゥース無線機と第１のプロファイルでの無線接続を行っているとき、第２のプロファイルでの無線接続開始の要求を受け付けることに基づいて、第１のプロファイルでの無線接続を維持したまま、第１のプロファイルと異なる第２のプロファイルでの無線接続の接続要求を前記相手側ブルートゥース無線機に送信し、相手側ブルートゥース無線機がマルチプロファイル対応でないと判定したことに基づいて、第１のプロファイルでの無線接続を切断し、切断手段が第１のプロファイルでの無線接続を切断したことに基づいて、第２のプロファイルの機能の実現のための処理を実行するようになっていてもよい。
【００２８】
また、上記のような本発明の第２の特徴は、相手側ブルートゥース無線機との、ハンズフリープロファイルとは異なる第１のプロファイルでの無線接続を維持したまま、ハンズフリープロファイルでの無線接続の接続要求を相手側ブルートゥース無線機に送信する機能、および、その接続要求を送信した後、ハンズフリープロファイルの着信通知を受けたとき、第１のプロファイルでの無線接続を維持したまま、当該着信通知に基づく処理を行う機能を、コンピュータに実現させるプログラムとしても、捉えることが可能である。
【００２９】
また、本発明の上記目的を達成するための本発明の第３の特徴は、近距離無線通信機が、相手側近距離無線通信機との第１の機能での無線接続を維持したまま、その第１の機能と異なる第２の機能での無線接続の接続要求をその相手側近距離無線通信機に送信し、その送信した接続要求に対する、相手側近距離無線通信機からの応答に基づいて、相手側近距離無線通信機が複数機能対応であるか否かを判定し、複数機能対応であると判定したことに基づいて、第１の機能での無線接続を維持したまま、第２の機能の実現のための処理を行うことである。
【００３０】
このように、近距離無線通信機が、相手側近距離無線通信機との第１の機能での無線接続を維持したままで第２の機能での無線接続の接続要求を送信すれば、ブルートゥースの規格に従えば、相手側近距離無線通信機が複数機能対応であれば、その第２の機能での無線接続が可能である旨の応答があり、相手側近距離無線通信機が複数機能対応でなければ、その第２の機能での無線接続が不可能である旨の応答がある。
【００３１】
本発明の近距離無線通信機は、この応答に基づいて、相手側近距離無線通信機が複数機能対応であるか否かを判定し、複数機能対応であると判定したことに基づいて、第１の機能での無線接続を維持したまま、第２の機能の実現のための処理を行う。このように、本発明の近距離無線通信機は、相手が複数機能対応であるときに、その複数の機能を利用した無線接続を行うので、複数機能対応の近距離無線通信機と無線接続するときは、その複数の機能を有効に利用し、かつ、複数機能非対応の近距離無線通信機と無線接続するときにも不都合が発生しない。
【００３２】
また、この近距離無線通信機は、相手側近距離無線通信機と第２の機能での無線接続を行っているとき、ユーザの操作に基づく、第１の機能での無線接続開始の要求を受け付けることに基づいて、第２の機能での無線接続を切断し、その後、相手側近距離無線通信機と第１の機能での無線接続を確立し、その後に、上述のような、第１の機能での無線接続を維持したままでの第２の機能での無線接続の接続要求の送信を行うようになっていてもよい。
【００３３】
このようになっていることで、近距離無線通信機は、ユーザの操作に基づいて開始が要求された機能の機能を、他の機能での無線接続を切断してから開始するので、相手側近距離無線通信機が複数機能対応であると否とに関わらず、直ちにその要求された機能での無線接続が優先的に実現する。そして、相手側近距離無線通信機が複数機能に対応していれば、その後、その切断された接続と、要求された機能での接続が両立することになる。
【００３４】
また、この近距離無線通信機は、相手側近距離無線通信機が複数機能対応でないと判定したことに基づいて、第１の機能での無線接続が終了した後に、第２の機能での無線接続を確立するようになっていてもよい。このようになっていることで、切断された第２の機能での無線接続が自動的に回復することになる。
【００３５】
また、機能の例としては、例えば、第１の機能はダイヤルアップネットワーク機能であり、第２の機能はハンズフリー機能であることが考えられる。
【００３６】
また、上記のような本発明の第３の特徴は、相手側近距離無線通信機との第１の機能での無線接続を維持したまま、第１の機能と異なる第２の機能での無線接続の接続要求を前記相手側近距離無線通信機に送信する機能、送信した接続要求に対する、相手側近距離無線通信機からの応答に基づいて、相手側近距離無線通信機が複数機能対応であるか否かを判定する機能、および、相手側近距離無線通信機が複数機能対応であると判定したことに基づいて、第１の機能での無線接続を維持したまま、第２の機能での無線接続を確立する機能を、コンピュータに実現させるプログラムとしても、捉えることが可能である。
【００３７】
また、本発明の第４の特徴は、近距離無線通信機が、相手側近距離無線通信機とのハンズフリー機能と異なる第１の機能での無線接続を維持したまま、ハンズフリー機能での無線接続の接続要求を相手側近距離無線通信機に送信し、その送信の後、ハンズフリー機能の着信通知を受けたとき、第１の機能での無線接続を維持したまま、当該着信通知に基づく処理を行うようになっていることである。
【００３８】
このように、近距離無線通信機が、相手側近距離無線通信機との第１の機能での無線接続を維持したまま、ハンズフリー機能での無線接続の接続要求を相手側近距離無線通信機に送信すれば、相手側近距離無線通信機が複数機能対応であれば、相手側近距離無線通信機は、第１の機能とハンズフリー機能の両方の機能を同時に実現させ、第１の機能での接続中においても、電話着信があると、着信通知を近距離無線通信機に送信する。
【００３９】
本発明の近距離無線通信機は、上記接続要求を送信した後、ハンズフリー機能の着信通知を受けたとき、第１の機能での無線接続を維持したまま、着信通知に基づく処理を行う。このように、本発明の近距離無線通信機は、相手が複数機能対応であるときに、その複数の機能を利用した無線接続を行うので、複数機能対応の近距離無線通信機と無線接続するときは、その複数の機能を有効に利用し、かつ、複数機能非対応の近距離無線通信機と無線接続するときにも不都合が発生しない。
【００４０】
また、上記第一の機能は、ダイヤルアップネットワーク機能であってもよい。
【００４１】
また、近距離無線通信機は、相手側近距離無線通信機と第１の機能での無線接続を行っているとき、第２の機能での無線接続開始の要求を受け付けることに基づいて、第１の機能での無線接続を維持したまま、第１の機能と異なる第２の機能での無線接続の接続要求を前記相手側近距離無線通信機に送信し、相手側近距離無線通信機が複数機能対応でないと判定したことに基づいて、第１の機能での無線接続を切断し、切断手段が第１の機能での無線接続を切断したことに基づいて、第２の機能の実現のための処理を実行するようになっていてもよい。
【００４２】
また、上記のような本発明の第４の特徴は、相手側近距離無線通信機との、ハンズフリー機能とは異なる第１の機能での無線接続を維持したまま、ハンズフリー機能での無線接続の接続要求を相手側近距離無線通信機に送信する機能、および、その接続要求を送信した後、ハンズフリー機能の着信通知を受けたとき、第１の機能での無線接続を維持したまま、当該着信通知に基づく処理を行う機能を、コンピュータに実現させるプログラムとしても、捉えることが可能である。
【発明を実施するための最良の形態】
【００４３】
（第１実施形態）
以下、本発明の第１実施形態について説明する。図１に、本実施形態に係わる車載ハンズフリー装置１のハードウェア構成を示す。車載ハンズフリー装置１は、表示装置２、操作装置３、マイク４、スピーカ５、ブルートゥースデバイス６、フラッシュメモリ７、ＲＡＭ８、ＲＯＭ９、アンテナ１０およびＣＰＵ１１を有している。
【００４４】
表示装置２は、ＣＰＵ１１から入力された文字データ、画像データ等の表示を行う、液晶ディスプレイ等の画像表示装置である。
【００４５】
操作装置３は、メカニカルスイッチ等の、ユーザが操作可能な装置を有し、これに対するユーザの操作に基づいた信号をＣＰＵ１１に出力する。
【００４６】
マイク４は、ユーザの発した音声を音声信号に変換してＣＰＵ１１に出力する。
【００４７】
スピーカ５は、ＣＰＵ１１から入力された音声信号を音声として出力する。
【００４８】
ブルートゥースデバイス６は、アンテナ１０から受けた信号に対して、ブルートゥースの規格に従った所定の周波数変換、復調、増幅、Ａ／Ｄ変換等を行い、その結果のデータをＣＰＵ１１に出力し、またＣＰＵ１１から受けたデータに対して、ブルートゥースの規格に従った所定のＤ／Ａ変換、増幅、変調、周波数変換等を行い、その結果のデータをアンテナ１０に出力する。本実施携帯においては、ブルートゥースデバイス６は、様々な種類の携帯電話機２１と接続して通信するようになっている。
【００４９】
フラッシュメモリ７は、電話番号とその電話番号に対応する人等の名称の対応関係を既述する電話帳データ等を備えた書き換え可能な不揮発性の記憶媒体である。なお、このフラッシュメモリ７に替えて、バックアップ電源回路を備えた揮発性メモリを用いてもよい。
【００５０】
ＣＰＵ１１は、ＲＯＭ９から作動のためのプログラムを読み出して実行し、その実行の際にはフラッシュメモリ７、ＲＡＭ８にデータを書き込み、またフラッシュメモリ７、ＲＡＭ８、ＲＯＭ９からデータを読み出す。またＣＰＵ１１は、その作動において、操作装置３、マイク４およびブルートゥースデバイス６から信号の入力を受け、また必要に応じてスピーカ５およびブルートゥースデバイス６に信号を出力する。
【００５１】
なお、車載ハンズフリー装置１とブルートゥース接続する携帯電話機２１は、通常の携帯電話機の機能に加えて、ブルートゥースによって車載ハンズフリー装置１のブルートゥースデバイス６と通信する機能を有している。また、携帯電話機２１は、ブルートゥースの規格において規定されているハンズフリープロファイルの機能と、ダイヤルアップネットワークプロファイルの機能とを併せ持っている。
【００５２】
また、携帯電話機２１として用いられる携帯電話には、マルチプロファイル対応の携帯電話、マルチプロファイル非対応の携帯電話の２種類がある。マルチプロファイル対応の携帯電話は、ハンズフリープロファイル、ダイヤルアップネットワークプロファイル等、複数のプロファイルのための作動を同時に実現することができ、マルチプロファイル非対応の形態電話は、一時期にはただ１つだけのプロファイルのための作動しか実現できない。
【００５３】
より具体的には、マルチプロファイル対応の携帯電話機は、あるプロファイルでの作動中、車載ハンズフリー装置１等、接続相手のブルートゥース無線機から、別のプロファイルでの接続要求を受けると、ＯＫ、すなわち接続可の旨の接続応答を返し、現在作動中のプロファイルの作動と共に、当該要求のあったプロファイルの作動を実現する。また、マルチプロファイル非対応の携帯電話機は、あるプロファイルでの作動中、車載ハンズフリー装置１等、接続相手のブルートゥース無線機から、別のプロファイルでの接続要求を受けると、ＮＧ、すなわち接続不可の旨の接続応答を返す。マルチプロファイル対応の携帯電話機としては、例えば、ＮＴＴＤｏＣｏＭｏ（登録商標）社のＦ９００ｉＴ（登録商標）、ＮＯＫＩＡ（登録商標）社のＶｏｄａｆｏｎｅ  ６６５０（登録商標）等がある。
【００５４】
次に、ＣＰＵ１１の作動について説明する。ＣＰＵ１１は、携帯電話機２１がブルートゥースによる通信可能範囲内に入ると、その携帯電話機２１とブルートゥース接続を行い、ハンズフリープロファイルの機能を実現するための処理を行う。
【００５５】
ハンズフリープロファイルのための処理の１つに、図２のフローチャートに示すような着信通知受付プログラム２００を繰り返し実行する処理がある。ＣＰＵ１１は、この着信通知受付プログラム２００において、まずステップ２１０で、携帯電話機２１に電話着信があった旨の着信通知を、アンテナ１０およびブルートゥースデバイス６を介して受けたか否かを判定し、受けたと判定するまでこの判定を繰り返す。
【００５６】
そして受けたと判定すると、続いてステップ２２０で着信があった旨の表示を表示装置２またはスピーカ５に行わせる。表示装置２における着信があった旨の表示とは、例えば、受けた着信通知に含まれる発信元電話番号、および、フラッシュメモリ７においてこの電話番号に対応づけられている名称等の情報を文字表示させることである。また、スピーカ５における着信があった旨の表示とは、例えば、呼び出し音の出力である。
【００５７】
また、着信通知受付プログラム２００の実行以外にも、ＣＰＵ１１は、ハンズフリープロファイルのための処理として、上記のような着信表示があった後に、ユーザによる操作装置３のオフフック操作があることに基づいて、当該着信に係る通話を開始する旨の信号をブルートゥースデバイス６を介して携帯電話機２１に送信する。そして携帯電話機２１がこの信号を受信して通話回線を確立し、その旨を車載ハンズフリー装置１に通知すると、ブルートゥースデバイス６を介してそれを受けたＣＰＵ１１は、当該通話回線を用いた電話通話を実現する。
【００５８】
またＣＰＵ１１は、ハンズフリープロファイルのための処理として、ユーザが操作装置３を操作することで、所定の電話番号に電話をかける旨の信号を操作装置３から受けたときは、ブルートゥースデバイス６を介して当該電話番号の電話端末を呼び出すよう携帯電話機２１に通知する。そして、携帯電話機２１がこの通知に応じて当該電話端末を呼び出し、当該電話端末との通話回線が確立した旨の通知を車載ハンズフリー装置１に送信すると、ＣＰＵ１１はその通知を、ブルートゥースデバイス６を介して受け取り、当該通話回線を用いた当該電話端末との通話を実現する。
【００５９】
なお、ここでいう電話端末との通話の実現とは、具体的には以下に示すようなものである。携帯電話機２１が電話端末からの受話音声信号を受信すると、その受話音声信号を車載ハンズフリー装置１に無線送信する。そして、ＣＰＵ１１は、受信した受話音声信号を音声信号としてスピーカ５に出力する。これによって、スピーカ５から当該受話音声が出力されることになる。またＣＰＵ１１が、車両の乗員の音声信号をマイク４を介して受け取り、この音声信号を送話音声信号として、ブルートゥースデバイス６を用いて携帯電話機２１に無線送信する。携帯電話機２１は、この送話音声信号を受信すると、電話通信相手の電話端末宛に、この送話音声信号を送信する。このようにすることで、車載ハンズフリー装置１、携帯電話機２１を用いた電話通話が実現される。
【００６０】
また、ＣＰＵ１１は、ハンズフリープロファイルのための処理中、図３のフローチャートに示すような接続・切断制御プログラム１００の実行を繰り返し開始するようになっている。この接続・切断制御プログラム１００は、携帯電話機２１がマルチプロファイル対応であるかマルチプロファイル非対応であるかを判定し、その判定結果に基づいて、ハンズフリープロファイルのための処理やダイヤルアップネットワークプロファイルのための処理の起動、終了、無線接続の確立、切断等の処理を行うためのプログラムである。
【００６１】
ＣＰＵ１１は、この接続・切断制御プログラム１００の実行において、まずステップ１０５で、操作装置３に対するユーザのデータ通信開始操作があるか否かを判定し、当該操作があるまでこの判定の実行を繰り返す。
【００６２】
そして、当該操作があると判定すると、続いてステップ１１０で、ハンズフリープロファイル（図中ではＨＦＰと記す）のための無線接続を切断するための処理を行う。具体的には、ブルートゥースデバイス６を用いて携帯電話機２１に対してハンズフリープロファイル切断要求の信号を送信し、携帯電話機２１からのその送信に対するＯＫの旨のハンズフリープロファイル切断応答を、ブルートゥースデバイス６を介して受けると、上述の着信通知受付プログラム２００等のハンズフリープロファイルのための処理を終了させる。
【００６３】
続いてステップ１１５で、ダイヤルアップネットワークプロファイル（図中ではＤＵＮと記す）での無線接続の確立を行う。具体的には、ブルートゥースデバイス６を用いて携帯電話機２１に対してダイヤルアップネットワークプロファイル接続要求の信号を送信し、携帯電話機２１からのその送信に対するＯＫの旨のダイヤルアップネットワークプロファイル接続応答を、ブルートゥースデバイス６を介して受けるまで待つ。
【００６４】
ＯＫの旨のダイヤルアップネットワークプロファイル接続応答を受けると、続いてステップ１２０で、データ通信処理起動のための処理を行う。すなわち、ＲＯＭ９に記憶されているデータ通信用プログラムの実行を、この接続・切断制御プログラム１００と並行して開始する。ＣＰＵ１１は、このデータ通信用プログラムの実行において、ブルートゥースデバイス６を介して、携帯電話機２１に所定のアクセスポイントに電話発呼させることを要求する信号（例えばＡＴコマンドのＡＴＤ）を送信し、そのアクセスポイントとの接続を介してインターネット等の広域ネットワークに参加し、その広域ネットワーク中の通信機器とデータの授受（例えばｈｔｔｐプロトコルに従うＷｅｂページの要求および取得）を行い、取得したデータをフラッシュメモリ７に記憶させ、または表示装置２に表示させる。
【００６５】
データ通信用プログラムの起動後、続いてステップ１２５では、ステップ１１５で確立したダイヤルアップネットワークプロファイルでの無線接続を維持したまま、ハンズフリープロファイルの接続要求を、ブルートゥースデバイス６を用いて携帯電話機２１に送信する。上述した通り、携帯電話機２１がマルチプロファイル対応であれば、携帯電話機２１からはＯＫの旨のハンズフリープロファイル接続応答があり、携帯電話機２１がマルチプロファイル非対応であれば、携帯電話機２１からはＮＧの旨のハンズフリープロファイル接続応答がある。
【００６６】
続いてステップ１３０では、ハンズフリープロファイル接続成功であるか否か、すなわち携帯電話機２１がマルチプロファイル対応であるか否かを、携帯電話機２１からのハンズフリープロファイル接続応答がＯＫの旨を示しているかＮＧの旨を示しているに基づいて判定する。そして、接続成功であれば、続いてステップ１３５を実行し、接続成功でなければ、続いてステップ１５０を実行する。
【００６７】
ステップ１３５では、着信通知受付プログラム２００、および他のハンズフリープロファイルの機能のためのプログラムの起動を開始する。これによって、ダイヤルアップネットワークプロファイルによるデータ通信と、ハンズフリープロファイルによる着信通知受付および表示の処理が、同時に実現することになる。
【００６８】
続いてステップ１４０で、データ通信が終了したか否かを判定し、終了したと判定するまでこの判定処理を繰り返す。データ通信が終了したことは、例えばユーザによる操作装置３を用いたデータ通信終了の旨の操作があったことによって判定する。
【００６９】
データ通信が終了したと判定すると、続いてステップ１４５で、ダイヤルアップネットワークプロファイルでの無線接続の切断のための処理を行う。具体的には、ブルートゥースデバイス６を用いて携帯電話機２１に対してダイヤルアップネットワークプロファイル切断要求の信号を送信し、携帯電話機２１からのその送信に対するＯＫの旨のダイヤルアップネットワークプロファイル切断応答を、ブルートゥースデバイス６を介して受けると、上述のデータ通信用プログラムの実行を終了する。この時点で、車載ハンズフリー装置１と携帯電話機２１との間では、ハンズフリープロファイルでの無線接続のみが確立した状態となる。ステップ１４５の後、接続・切断制御プログラム１００の１回分の実行が終了する。
【００７０】
また、ステップ１５０では、ステップ１４０と同様データ通信が終了したか否かを判定し、終了したと判定するまでこの判定処理を繰り返し、データ通信が終了したと判定すると、続いてステップ１５５で、ステップ１４５と同様にダイヤルアップネットワークプロファイルでの無線接続の切断のための処理を行う。
【００７１】
この時点で、車載ハンズフリー装置１と携帯電話機２１との間ではハンズフリープロファイルでの無線接続も、ダイヤルアップネットワークプロファイルでの無線接続も確立されている。
【００７２】
続いてステップ１６０では、ハンズフリープロファイルでの無線接続の確立を行う。具体的には、ブルートゥースデバイス６を用いて携帯電話機２１に対してハンズフリープロファイル接続要求の信号を送信し、携帯電話機２１からのその送信に対するＯＫの旨のハンズフリープロファイル接続応答を、ブルートゥースデバイス６を介して受けるまで待ち、その接続応答を受けると、着信通知受付プログラム２００、および他のハンズフリープロファイルの機能のためのプログラムの起動を開始する。ステップ１６０の後、接続・切断制御プログラム１００の１回分の実行が終了する。
【００７３】
以上のような接続・切断制御プログラム１００、着信通知受付プログラム２００等をＣＰＵ１１が実行することによる車載ハンズフリー装置１の作動例を、車載ハンズフリー装置１がマルチプロファイル対応の携帯電話機２１と接続する場合、および車載ハンズフリー装置１がマルチプロファイル非対応の携帯電話機２１と接続する場合の２つの場合について、それぞれ図４および図５のシーケンス図を用いて説明する。
【００７４】
車載ハンズフリー装置１がマルチプロファイル対応の携帯電話機２１と接続する場合、まず両者がハンズフリープロファイルでの無線接続を行い、そのハンズフリープロファイルの機能のための動作を行っている状態（図４の状態３０５に相当する）において、ユーザが操作装置３を用いてデータ通信開始の旨の操作を行うと（イベント３１０に相当する）、車載ハンズフリー装置１は接続・切断制御プログラム１００のステップ１０５でデータ通信開始操作ありと判定し、ステップ１１０でハンズフリープロファイル切断要求（信号３１５に相当する）を送信する。すると、携帯電話機２１は、その切断要求に対する、ＯＫの旨のハンズフリープロファイル切断応答（信号３２０に相当する）を車載ハンズフリー装置１に送信する。
【００７５】
そして車載ハンズフリー装置１はこの切断応答を受けることで、ステップ１１０のハンズフリープロファイル切断のための処理を終え、続いてステップ１１５の処理によって、ダイヤルアップネットワークプロファイル接続要求（信号３２５に相当する）を携帯電話機２１に送信する。すると、携帯電話機２１は、その接続要求に対する、ＯＫの旨のダイヤルアップネットワークプロファイル接続応答（信号３３０に相当する）を車載ハンズフリー装置１に送信する。これによって、ダイヤルアップネットワークプロファイルでの無線接続が確立し、車載ハンズフリー装置１が続いてステップ１２０でデータ通信処理を起動することで、車載ハンズフリー装置１が携帯電話機２１を用いたデータ通信を実現する（状態３３５に相当する）。
【００７６】
その後、車載ハンズフリー装置１は、ステップ１２５の処理により、ハンズフリープロファイル接続要求（信号３４０に相当する）を携帯電話機２１に送信する。すると、携帯電話機２１はマルチプロファイル対応なので、その接続要求に対する、ＯＫの旨のハンズフリープロファイル接続応答（信号３４５に相当する）を車載ハンズフリー装置１に送信する。
【００７７】
このＯＫの旨のハンズフリープロファイル接続応答受けた車載ハンズフリー装置１は、ステップ１３０の処理によってハンズフリープロファイル接続成功と判定し、続いてステップ１３５の処理によって着信待ち受け可能な状態に入る。この時点で、車載ハンズフリー装置１と携帯電話機２１との間では、ダイヤルアップネットワークプロファイルおよびハンズフリープロファイルの両方の機能が同時に実現された状態となる（状態３５０に相当する）。
【００７８】
その後、データ通信が終了すると（イベント３５５に相当する）、車載ハンズフリー装置１はステップ１４０の処理によってデータ通信終了であると判定し、続いてステップ１４５の処理によってダイヤルアップネットワークプロファイルでの無線接続を切断するため、ダイヤルアップネットワークプロファイル切断要求（信号３６０に相当する）を携帯電話機２１に送信する。すると、携帯電話機２１は、その切断要求に対する、ＯＫの旨のダイヤルアップネットワークプロファイル切断応答（信号３６５に相当する）を車載ハンズフリー装置１に送信する。これによって、車載ハンズフリー装置１と携帯電話機２１との間ではハンズフリープロファイルでの無線接続のみが確立された状態となる。
【００７９】
車載ハンズフリー装置１がマルチプロファイル非対応の携帯電話機２１と接続する場合、図５に示す通り、ハンズフリープロファイル動作中（状態３０５に相当する）に、データ通信開始操作があると（イベント３１０に相当する）、車載ハンズフリー装置１からハンズフリープロファイル切断要求（信号３１５に相当する）が送信され、続いて携帯電話機２１からＯＫの旨のハンズフリープロファイル切断応答（信号３２０に相当する）が送信され、続いて車載ハンズフリー装置１からダイヤルアップネットワークプロファイル接続要求（信号３２５に相当する）が送信され、続いてＯＫの旨の携帯電話機２１からダイヤルアップネットワークプロファイル接続応答（信号３３０に相当する）が送信され、続いて車載ハンズフリー装置１が携帯電話機２１を用いたデータ通信を開始し（状態３３５に相当する）、続いて車載ハンズフリー装置１からハンズフリープロファイル接続要求（信号３４０に相当する）が送信されるまでの車載ハンズフリー装置１および携帯電話機２１の作動は、図４に示した同符号の状態、イベント、信号についての車載ハンズフリー装置１の作動と同じである。
【００８０】
しかし、マルチプロファイル非対応の携帯電話機２１は、信号３４０に相当するハンズフリープロファイル接続要求を受けると、現在ダイヤルアップネットワークプロファイルのための作動が実行中であるので、ＮＧの旨のハンズフリープロファイル接続応答（信号４４５に相当する）を送信する。
【００８１】
このＮＧの旨のハンズフリープロファイル接続応答受けた車載ハンズフリー装置１は、ステップ１３０の処理によってハンズフリープロファイル接続が不成功と判定し、続いてステップ１５０の処理によって、データ通信終了を待つ。この時点で、車載ハンズフリー装置１と携帯電話機２１との間では、ダイヤルアップネットワークプロファイルの機能のみが実現された状態となる（状態４５０に相当する）。
【００８２】
その後、データ通信が終了すると（イベント４５５に相当する）、車載ハンズフリー装置１はステップ１５０の処理によってデータ通信終了であると判定し、続いてステップ１５５の処理によってダイヤルアップネットワークプロファイルでの無線接続を切断するため、ダイヤルアップネットワークプロファイル切断要求（信号４６０に相当する）を携帯電話機２１に送信する。すると、携帯電話機２１は、その切断要求に対する、ＯＫの旨のダイヤルアップネットワークプロファイル切断応答（信号４６５に相当する）を車載ハンズフリー装置１に送信する。これによって、車載ハンズフリー装置１と携帯電話機２１との間では、ハンズフリープロファイルおよびダイヤルアップネットワークプロファイルのいずれの無線接続も確立されていない状態となる。
【００８３】
その直後、車載ハンズフリー装置１は、ステップ１６０の処理によってハンズフリープロファイル接続確立のためのハンズフリープロファイル接続要求（信号４７０に相当する）を携帯電話機２１に送信する。すると、携帯電話機２１は、その接続要求に対する、ＯＫの旨のハンズフリープロファイル接続応答（信号４７５）を送信し、その後ハンズフリープロファイルのための作動が車載ハンズフリー装置１および携帯電話機２１で実現される。
【００８４】
以上のように、車載ハンズフリー装置１が携帯電話機２１とハンズフリープロファイルでの無線接続を行っているとき、ユーザの操作に基づく、ハンズフリープロファイルと異なるダイヤルアップネットワークプロファイルでの無線接続開始の要求を受け付ける（ステップ１０５参照）ことに基づいて、ハンズフリープロファイルでの無線接続を切断する（ステップ１１０参照）。そして、その無線接続を切断した後に、携帯電話機２１とダイヤルアップネットワークプロファイルでの無線接続を確立し（ステップ１１５参照）、その後、その無線接続を維持したまま、ハンズフリープロファイルでの無線接続の接続要求を携帯電話機２１に送信する（ステップ１２５参照）。また、送信した接続要求に対する携帯電話機２１からの応答に基づいて、携帯電話機２１がマルチプロファイル対応であるか否かを判定し（ステップ１３０参照）、携帯電話機２１がマルチプロファイル対応であると判定したことに基づいて、ダイヤルアップネットワークプロファイルでの無線接続を維持したまま、ハンズフリープロファイルの機能を実現するための処理を行い（ステップ１３５参照）、携帯電話機２１がマルチプロファイル対応でないと判定したことに基づいて、ダイヤルアップネットワークプロファイルでの無線接続が終了した（ステップ１５５参照）後に、ハンズフリープロファイルでの無線接続を確立する（ステップ１６０参照）。
【００８５】
このように、車載ハンズフリー装置１が、携帯電話機２１とのダイヤルアップネットワークプロファイルでの無線接続を維持したままでハンズフリープロファイルでの無線接続の接続要求を送信すれば、ブルートゥースの規格に従う携帯電話機２１がマルチプロファイル対応であれば、そのハンズフリープロファイルでの無線接続が可能である旨の応答があり、携帯電話機２１がマルチプロファイル対応でなければ、そのハンズフリープロファイルでの無線接続が不可能である旨の応答がある。
【００８６】
車載ハンズフリー装置１は、この応答に基づいて、携帯電話機２１がマルチプロファイル対応であるか否かを判定し、マルチプロファイル対応であると判定したことに基づいて、ダイヤルアップネットワークプロファイルでの無線接続を維持したまま、ハンズフリープロファイルプロファイルの機能の実現のための処理を行う。このように、車載ハンズフリー装置１は、通信相手の携帯電話機２１がマルチプロファイル対応であるときにのみ、そのマルチプロファイルの機能を利用した無線接続を行うので、マルチプロファイル対応の携帯電話機２１と無線接続するときは、そのマルチプロファイルの機能を有効に利用し、かつ、マルチプロファイル非対応の携帯電話機２１と無線接続するときにも不都合が発生しない。
【００８７】
また、車載ハンズフリー装置１は、上記のように、ユーザの操作に基づいて開始が要求されたダイヤルアップネットワークプロファイルの機能を、ハンズフリープロファイルでの無線接続を切断してから開始するので、携帯電話機２１がマルチプロファイル対応であると否とに関わらず、直ちにその要求されたプロファイルでの無線接続が優先的に実現する。そして、携帯電話機２１がマルチプロファイルに対応していれば、その後、その切断された接続と、要求されたプロファイルでの接続が同時に実現することになる。
【００８８】
また、この車載ハンズフリー装置１は、上記のように、携帯電話機２１がマルチプロファイル対応でないと判定したことに基づいて、ダイヤルアップネットワークプロファイルでの無線接続が終了した後に、ハンズフリープロファイルでの無線接続を確立するようになっているので、切断されたハンズフリープロファイルでの無線接続が自動的に回復することになる。
【００８９】
なお、本実施形態においては、ダイヤルアップネットワークプロファイルが第１のプロファイルに相当し、ハンズフリープロファイルが第２のプロファイルに相当する。
【００９０】
また、車載ハンズフリー装置１のＣＰＵ１１が、接続・切断制御プログラム１００のステップ１２５を実行することで、接続要求送信手段として機能し、ステップ１３０を実行することで判定手段として機能し、ステップ１３５を実行することでマルチプロファイル処理手段として機能し、ステップ１１０を実行することで切断手段として機能し、ステップ１１５を実行することで接続手段として機能し、ステップ１６０を実行することで復帰接続手段として機能する。
【００９１】
また、車載ハンズフリー装置１のＣＰＵ１１が、着信通知受付プログラム２００を実行することで着信通知受信処理手段として機能する。
（第２実施形態）
以下、本発明の第２実施形態について説明する。本実施形態の車載ハンズフリー装置１が第１実施形態の車載ハンズフリー装置１と異なる点は、ＣＰＵ１１が接続・切断制御プログラム１００に代えて図６のフローチャートに示す接続・切断制御プログラム６００をハンズフリープロファイルのための処理中に繰り返し実行する。
【００９２】
ＣＰＵ１１は、この接続・切断制御プログラム６００の実行の実行において、まずステップ６０５で、操作装置３に対するユーザのデータ通信開始操作があるか否かを判定し、当該操作があるまでこの判定の実行を繰り返す。
【００９３】
そして、当該操作があると判定すると、続いてステップ６１０で、ＤＵＮ接続処理を実行する。ＤＵＮ接続処理において、ＣＰＵ１１は、ブルートゥースデバイス６を用いて携帯電話機２１に対してダイヤルアップネットワークプロファイル接続要求の信号を送信する。
【００９４】
続いてステップ６１５で、ダイヤルアップネットワークプロファイル接続成功であるか否か、すなわち携帯電話機２１がマルチプロファイル対応であるか否かを判定し、接続成功であれば、続いてステップ６１８を実行し、接続成功でなければ、続いてステップ６３０を実行する。なお、接続が成功したことは、携帯電話機２１からのダイヤルアップネットワークプロファイル接続応答がＯＫを示していることによって判定する。また、接続が失敗したことは、携帯電話機２１からのダイヤルアップネットワークプロファイル接続応答がＮＧを示していることによって判定する。また、接続が失敗したことは、携帯電話機２１からのダイヤルアップネットワークプロファイル接続要求に対する応答が基準期間無いことに基づいて判定してもよい。この基準期間は、あらかじめ記憶された一定値であってもよいし、各種条件（例えば携帯電話機２１の受信レベル等）に基づいて変動する値であってもよいし、一定の範囲内でランダムに決まる値であってもよい。
【００９５】
ステップ６１８、６２０、６２５の処理は、それぞれ接続・切断制御プログラム１００のステップ１２０、１４０、１４５の処理と同等である。このように、ダイヤルアップネットワークプロファイル接続後は、ダイヤルアップネットワークプロファイルの機能およびハンズフリー機能が同時に実現する。
【００９６】
ダイヤルアップネットワークプロファイル接続が失敗した後のステップ６３０では、接続・切断制御プログラム１００のステップ１１０と同様に、ハンズフリープロファイルのための無線接続を切断するための処理を行う。続いてステップ６３５では、接続・切断制御プログラム１００のステップ１１５と同様に、ダイヤルアップネットワークプロファイルでの無線接続の確立を行う。これによって、ダイヤルアップネットワークプロファイルの機能のみが実現する。
【００９７】
ステップ６４０、６４５、６５０の処理は、それぞれ接続・切断制御プログラム１００のステップ１５０、１５５、１６０の処理と同等である。
【００９８】
以上のように、車載ハンズフリー装置１は、携帯電話機２１とハンズフリープロファイルでの無線接続を行っているとき、ユーザの操作に基づく、ハンズフリープロファイルと異なるダイヤルアップネットワークプロファイルでの無線接続開始の要求を受け付ける（ステップ６０５参照）ことに基づいて、ハンズフリープロファイルでの無線接続を切断することなくダイヤルアップネットワークプロファイルの接続を試み（ステップ６１０、６１５参照）、接続に失敗して初めてハンズフリープロファイルのための接続を切断し（ステップ６３０参照）、その上でダイヤルアップネットワークプロファイルの機能を実現する（ステップ６３５参照）。
【００９９】
このように、本実施形態の車載ハンズフリー装置１は、ユーザの操作に基づいて開始が要求されたプロファイルの機能を、現在のプロファイルでの無線接続を維持したまま開始すべく、その要求のあったプロファイルの接続要求を携帯電話機２１に送信し、その無線接続が失敗して初めて、現在のプロファイルを終了する。
【０１００】
なお、本実施形態においては、ダイヤルアップネットワークプロファイルが第２のプロファイルに相当し、ハンズフリープロファイルが第１のプロファイルに相当する。
【０１０１】
なお、車載ハンズフリー装置１のＣＰＵ１１が、接続・切断制御プログラム６００のステップ６１０を実行することで、接続要求送信手段として機能し、ステップ６１５を実行することで判定手段として機能し、ステップ６１８実行することでマルチプロファイル処理手段として機能し、ステップ６３０を実行することで切断手段として機能し、ステップ６３５を実行することでシングルプロファイル処理手段として機能する。
（他の実施形態）
なお、上記の実施形態において、車載ハンズフリー装置１がブルートゥース無線機に相当し、携帯電話機２１が相手側ブルートゥース無線機に相当するが、あくまでもこれは一例であって、必ずしもこのようになっている必要はない。それぞれは、ブルートゥース無線機であれば足りる。
【０１０２】
さらに言えば、それぞれはブルートゥース無線機ではなく、他の近距離無線通信機であってもよい。その場合、上述のプロファイルは、近距離無線通信機が他の近距離無線通信機との通信において実現する機能として読み替えればよい。
【０１０３】
また、第１のプロファイルと第２のプロファイルとが異なるものであれば、プロファイルの例としては、ファイル送信プロファイル（ＦＴＰ）、ヘッドセットプロファイル（ＨＳＰ）、ヒューマンインターフェースプロファイル（ＨＩＰ）、ＬＡＮアクセスプロファイル（ＬＡＰ）、オブジェクトプッシュプロファイル（ＯＰＰ）、パーソナルネットワーキングプロファイル（ＰＡＮ）等の相互運用プロファイル（Ｉｎｔｅｒｏｐｅｒａｂｉｌｉｔｙ  Ｐｒｏｆｉｌｅ）等、ブルートゥースに規定されたものであれば、どのようなものでもよい。
【０１０４】
また、第１実施形態においては、第２のプロファイルがハンズフリープロファイルである場合、車載ハンズフリー装置１は、必ずしも通信相手の携帯電話機２１がマルチプロファイル対応であるか否かを判定する必要はない。例えば、図３の接続・切断制御プログラム１００の実行において、ＣＰＵ１１が、ステップ１２５の後、直ちにステップ１５０に進むようになっていてもよい。ただし、この場合、着信通知受付プログラム２００は常時実行させるようにする。
【０１０５】
このようになっていれば、車載ハンズフリー装置１が、携帯電話機２１とのダイヤルアップネットワークプロファイルでの無線接続を維持したまま、ハンズフリープロファイルでの無線接続の接続要求を携帯電話機２１に送信すれば、携帯電話機２１がマルチプロファイル対応であれば、車載ハンズフリー装置１がそのことを判定するとしないとに関わらず、携帯電話機２１は、ダイヤルアップネットワークプロファイルとハンズフリープロファイルの両方の機能を同時に実現させ、ダイヤルアップ接続中においても、電話着信があると、着信通知を車載ハンズフリー装置１に送信する。そして、このような他の例の車載ハンズフリー装置１は、着信通知受付プログラム２００を常時実行しているので、上記接続要求を送信した後、ハンズフリープロファイルの着信通知を受けたとき、ダイヤルアップネットワークプロファイルでの無線接続を維持したまま、着信通知に基づく処理を行う。
【０１０６】
また、マルチプロファイル非対応の携帯電話機２１は、ハンズフリープロファイルでの無線接続の接続要求を受けても、ダイヤルアップネットワークプロファイルの作動のみを維持するので、着信を受けることがない。
【０１０７】
そして、この車載ハンズフリー装置１は、ダイヤルアップネットワークプロファイルでの無線接続が終了すると、ステップ１６０の処理によって、携帯電話機２１がマルチプロファイル対応であるとないとに関わらず、ハンズフリープロファイル接続要求を送信する。すると、マルチプロファイル対応の携帯電話機２１は、すでにハンズフリープロファイルのための作動を行っているので、この接続要求に関わりなくその作動を続け、マルチプロファイル非対応の携帯電話機２１は、その接続要求を受けてハンズフリープロファイルの作動を開始する。したがって、どちらの場合もダイヤルアップネットワークプロファイルの接続が終了した後には、ハンズフリープロファイルが作動していることになる。
【０１０８】
このように、この例における車載ハンズフリー装置１は、相手がマルチプロファイル対応であるときに、そのマルチプロファイルの機能を利用した無線接続を行うので、マルチプロファイル対応の携帯電話機２１と無線接続するときは、そのマルチプロファイルの機能を有効に利用し、かつ、マルチプロファイル非対応のブルートゥース無線機と無線接続するときにも不都合が発生しない。
【０１０９】
また、上記の車載ハンズフリー装置１の作動は、ＣＰＵ１１が各種プログラムを実行することで実現されているが、ＣＰＵ１１に代えて、その各種プログラムによって実現される機能を有する専用の回路によって、車載ハンズフリー装置１が作動するようになっていてもよい。
【図面の簡単な説明】
【０１１０】
【図１】本発明の実施形態に係る車載ハンズフリー装置１のハードウェア構成図である。
【図２】着信通知受付プログラム２００のフローチャートである。
【図３】接続・切断制御プログラム１００のフローチャートである。
【図４】車載ハンズフリー装置１とマルチプロファイル対応の携帯電話機とが接続した場合の通信手順を示すシーケンス図である。
【図５】車載ハンズフリー装置１とマルチプロファイル非対応の携帯電話機とが接続した場合の通信手順を示すシーケンス図である。
【図６】本発明の第２実施形態の接続・切断制御プログラム６００のフローチャートである。
【図７】従来のマルチプロファイル非対応の車載ハンズフリー装置とマルチプロファイル非対応の携帯電話機とが接続した場合の通信手順を示すシーケンス図である。
【符号の説明】
【０１１１】
１…車載ハンズフリー装置、２…表示装置、３…操作装置、４…マイク、
５…スピーカ、６…ブルートゥースデバイス、７…フラッシュメモリ、
８…ＲＡＭ、９…ＲＯＭ、１０…アンテナ、１１…ＣＰＵ、２１…携帯電話機、
１００、６００…接続・切断制御プログラム、２００…着信通知受付プログラム。
【図１】
2006148864.tif 000003
【図２】
2006148864.tif 000004
【図３】
2006148864.tif 000005
【図４】
2006148864.tif 000006
【図５】
2006148864.tif 000007
【図６】
2006148864.tif 000008
【図７】
2006148864.tif 000009